(57)【要約】【課題】道路トンネル内のトンネル天井壁に吊り下げて設置されるジェットファンにおいて、高所での作業時に端子箱蓋を止めている固定ねじの落下を防止し、且つ端子箱の密閉性を向上させて、端子箱内への水や不純物等の浸入を防止できるジェットファンを提供する。【解決手段】送風筒１０ａの外面に端子箱本体１１と端子箱蓋１２からなる端子箱８が設けられ、モータ３に接続されるケーブルとトンネル天井壁９からのケーブルとの結線部は端子箱８の中に収納され、端子箱蓋１２を端子箱本体１１に固定する固定ねじ１３には、固定ねじ１３の落下を防止するための抜け止めワッシャ１７が取り付けられ、端子箱本体１１には抜け止めワッシャ１７を取り付ける空間を確保するように折れ曲がった第一折り曲げ部１８を設けた。【選択図】図６
2015086738.tif 000002
【特許請求の範囲】
【請求項１】
筒状ケーシング内にモータと前記モータの回転軸に装着した羽根車とを備えた送風筒と、前記送風筒の両側に筒状ケーシングの消音筒を備え、トンネルの天井付近に吊り下げられるジェットファンであって、前記送風筒の外面に端子箱本体と端子箱蓋からなる端子箱が設けられ、前記モータに接続されるケーブルとトンネル天井壁からのケーブルとの結線部は前記端子箱の中に収納され、前記端子箱蓋を前記端子箱本体に固定する固定ねじには、前記固定ねじの落下を防止するための抜け止めワッシャが取り付けられ、前記端子箱本体には前記抜け止めワッシャを取り付ける空間を確保するように折れ曲がった第一折り曲げ部を設けたことを特徴とするねじ落下防止機能付きジェットファン。
【請求項２】
前記端子箱蓋の先端部分に第二折り曲げ部を設け、前記固定ねじは前記第一折り曲げ部と前記第二折り曲げ部との間に設けられることを特徴とする請求項１に記載のねじ落下防止機能付きジェットファン。
【請求項３】
前記固定ねじによる前記端子箱蓋の固定時に前記第二折り曲げ部の先端は前記端子箱本体の先端部分に接し、前記第二折り曲げ部の折り曲げ高さは、前記第一折り曲げ部の折り曲げ高さ以下であることを特徴とする請求項２に記載のねじ落下防止機能付きジェットファン。
【請求項４】
前記第二折り曲げ部の折り曲げ高さは、前記第一折り曲げ部の折り曲げ高さより低いことを特徴とする請求項３に記載のねじ落下防止機能付きジェットファン。
【請求項５】
前記端子箱先端部分には折り曲げ部を設けず、前記端子箱本体の先端部分に第三折り曲げ部を設け、前記固定ねじは前記第一折り曲げ部と前記第三折り曲げ部との間に設けられることを特徴とする請求項１に記載のねじ落下防止機能付きジェットファン。
【請求項６】
前記固定ねじによる前記端子箱蓋の固定時に前記第三折り曲げ部の先端は前記端子箱蓋の先端部分に接し、前記第三折り曲げ部の折り曲げ高さは、前記第一折り曲げ部の折り曲げ高さ以下であることを特徴とする請求項５に記載のねじ落下防止機能付きジェットファン。
【請求項７】
前記第三折り曲げ部の折り曲げ高さは、前記第一折り曲げ部の折り曲げ高さより低いことを特徴とする請求項６に記載のねじ落下防止機能付きジェットファン。
【請求項８】
前記端子箱本体と前記端子箱蓋との間にはパッキンが設けられ、前記固定ねじによる前記端子箱蓋の固定時に、前記パッキンは前記第一折り曲げ部よりも端子箱本体の内側において端子箱本体および前記端子箱蓋と接触することを特徴とする請求項１〜７の何れか１項に記載のねじ落下防止機能付きジェットファン。
【請求項９】
前記固定ねじによる締め付けにより、前記パッキンは押しつぶされることを特徴とする請求項８に記載のねじ落下防止機能付きジェットファン。
【発明の詳細な説明】
【技術分野】
【０００１】
本発明は、自動車道路トンネルの天井に設置され、噴流による圧力上昇によりトンネル内を換気するジェットファンにおいて、配線作業時に端子箱蓋を固定するねじの落下を防止できるものに関するものである。
【背景技術】
【０００２】
従来、ジェットファンは自動車道路トンネルの天井に設置されるファンであり、その噴流による圧力上昇によりトンネル内を換気する目的で使用される。ジェットファンはモータの回転方向を切り替えることにより、両方向の噴出しが可能なファンである。
【０００３】
ジェットファンは筒型ケーシング内にモータが内装され、モータの軸に羽根車が取付けられている。
【０００４】
ジェットファンには、外面に端子箱本体と端子箱蓋からなる端子箱が設けられ、モータに接続されるケーブルとトンネル天井壁からのケーブルとの結線部を端子箱の中に収納する。
【０００５】
ジェットファンをトンネル天井に設置するとき、ケーブルの結線作業は高所で行われる。
【先行技術文献】
【特許文献】
【０００６】
【特許文献１】特開２００８−２６１３７８号公報
【発明の概要】
【発明が解決しようとする課題】
【０００７】
このような従来の自動車道路トンネル換気用ジェットファンは、トンネル天井に吊り下げられるときやオーバーホールでジェットファンを取り外すとき、また端子箱の結線状態を確認するときなどにおいて、端子箱本体にねじ止めされている端子箱の蓋を外さなければいけない。
【０００８】
この際、端子箱蓋を止めているねじを落下させてしまう可能性があるが、一度ねじを落下させてしまうと高所であるためにそのねじを拾うのに非常に手間と時間がかかる上、トンネル内は暗所であるため見つけるのも困難である。
【０００９】
また、稼動しているトンネルに車線規制をしてジェットファンの取り付け作業を行うときに、一般車両が通行している車線にねじが落下すると、通行車両に落下したねじがあたる可能性があったり、落下したねじを取りにいくときに作業員が一般車両と接触する可能性があったりと、非常に危険が伴う。
【００１０】
なお、特許文献１の図４には抜け止めワッシャを用いたネジの抜け止め構造が開示されているが、この構造をジェットファンの端子箱に用いると、端子箱内の密封性が保てなくなり、端子箱内への水や不純物の浸入の危険性がある。
【００１１】
本発明は、このような従来の課題を解決するものであり、道路トンネル内のトンネル天井壁に吊り下げて設置されるジェットファンにおいて、高所での端子箱蓋の取付けや取外しの作業時に端子箱蓋を止めている固定ねじの落下を防止し、且つ端子箱の密閉性を向上させて、トンネル天井壁に設置中或いは設置後に端子箱内への水や不純物等の浸入を防止できるジェットファンを提供することを目的とする。
【課題を解決するための手段】
【００１２】
上記目的を達成するために、本発明のねじ落下防止機能付きジェットファンは、筒状ケーシング内にモータと前記モータの回転軸に装着した羽根車とを備えた送風筒と、前記送風筒の両側に筒状ケーシングの消音筒を備え、トンネルの天井付近に吊り下げられるジェットファンであって、前記送風筒の外面に端子箱本体と端子箱蓋からなる端子箱が設けられ、前記モータに接続されるケーブルとトンネル天井壁からのケーブルとの結線部は前記端子箱の中に収納され、前記端子箱蓋を前記端子箱本体に固定する固定ねじには、前記固定ねじの落下を防止するための抜け止めワッシャが取り付けられ、前記端子箱本体には前記抜け止めワッシャを取り付ける空間を確保するように折れ曲がった第一折り曲げ部を設けたことを特徴としたものであり、これにより所期の目的を達成するものである。
【発明の効果】
【００１３】
本発明のねじ落下防止機能付きジェットファンによれば、道路トンネル内のトンネル天井壁に吊り下げて設置されるジェットファンにおいて、高所での端子箱蓋の取付けや取外しの作業時に端子箱蓋を止めている固定ねじの落下を防止し、且つ端子箱の密閉性を向上させて、トンネル天井壁に設置中或いは設置後に端子箱内への水や不純物等の浸入を防止できるジェットファンを提供することができる。
【図面の簡単な説明】
【００１４】
【図１】本発明の実施の形態１のねじ落下防止機能付きジェットファンの内部を示す構成図
【図２】本発明の実施の形態１のねじ落下防止機能付きジェットファンを示す斜視図
【図３】本発明の実施の形態１のねじ落下防止機能付きジェットファンを示す正面図
【図４】本発明の実施の形態１のねじ落下防止機能付きジェットファンを示す設置図
【図５】本発明の実施の形態１の端子箱を示す図
【図６】本発明の実施の形態１の端子箱を示す断面図
【図７】本発明の実施の形態２の端子箱を示す断面図
【図８】本発明の実施の形態３の端子箱を示す断面図
【発明を実施するための形態】
【００１５】
本発明に係るねじ落下防止機能付きジェットファンは、筒状ケーシング内にモータと前記モータの回転軸に装着した羽根車とを備えた送風筒と、前記送風筒の両側に筒状ケーシングの消音筒を備え、トンネルの天井付近に吊り下げられるジェットファンであって、前記送風筒の外面に端子箱本体と端子箱蓋からなる端子箱が設けられ、前記モータに接続されるケーブルとトンネル天井壁からのケーブルとの結線部は前記端子箱の中に収納され、前記端子箱蓋を前記端子箱本体に固定する固定ねじには、前記固定ねじの落下を防止するための抜け止めワッシャが取り付けられ、前記端子箱本体には前記抜け止めワッシャを取り付ける空間を確保するように折れ曲がった第一折り曲げ部を設けたものである。
【００１６】
この構成によれば、道路トンネル内のトンネル天井壁に吊り下げて設置されるジェットファンにおいて、高所での端子箱蓋の取付けや取外しの作業時に端子箱蓋を止めている固定ねじの落下を防止し、且つ端子箱の密閉性を向上させて、トンネル天井壁に設置中或いは設置後に端子箱内への水や不純物等の浸入を防止できるジェットファンを提供することができる。
【００１７】
また、ねじ落下防止機能付きジェットファンは、前記端子箱蓋の先端部分に第二折り曲げ部を設け、前記固定ねじは前記第一折り曲げ部と前記第二折り曲げ部との間に設けられるとしてもよい。
【００１８】
この構成によれば、固定ねじを締めて端子箱蓋を端子箱本体に固定していく際に、第二折り曲げ部により端子箱蓋の変形を防ぎつつ、端子箱蓋を固定することができる。
【００１９】
また、ねじ落下防止機能付きジェットファンは、前記固定ねじによる前記端子箱蓋の固定時に前記第二折り曲げ部の先端は前記端子箱本体の先端部分に接し、前記第二折り曲げ部の折り曲げ高さは、前記第一折り曲げ部の折り曲げ高さ以下であるとしてもよい。
【００２０】
この構成によれば、第二折り曲げ部により端子箱蓋の変形を防ぎつつ、第一折り曲げ部の内側部分において、端子箱本体と端子箱蓋が良好に接触するようになる。このため、端子箱の密閉性をさらに高めることができ、端子箱内への水等の浸入をさらに防ぐことができる。
【００２１】
また、ねじ落下防止機能付きジェットファンは、前記第二折り曲げ部の折り曲げ高さは、前記第一折り曲げ部の折り曲げ高さより低いとしてもよい。
【００２２】
この構成によれば、第一折り曲げ部の内側部分において、端子箱本体と端子箱蓋がさらに良好に接触することになり、端子箱の密閉性をさらに高めることができる。
【００２３】
また、ねじ落下防止機能付きジェットファンは、前記端子箱先端部分には折り曲げ部を設けず、前記端子箱本体の先端部分に第三折り曲げ部を設け、前記固定ねじは前記第一折り曲げ部と前記第三折り曲げ部との間に設けられるとしてもよい。
【００２４】
この構成によれば、固定ねじを締めて端子箱蓋を端子箱本体に固定していく際に、第三折り曲げ部により端子箱蓋の変形を防ぎつつ、端子箱蓋を固定することができる。
【００２５】
また、ねじ落下防止機能付きジェットファンは、前記固定ねじによる前記端子箱蓋の固定時に前記第三折り曲げ部の先端は前記端子箱蓋の先端部分に接し、前記第三折り曲げ部の折り曲げ高さは、前記第一折り曲げ部の折り曲げ高さ以下であるとしてもよい。
【００２６】
この構成によれば、第三折り曲げ部により端子箱蓋の変形を防ぎつつ、第一折り曲げ部の内側部分において、端子箱本体と端子箱蓋が良好に接触するようになる。このため、端子箱の密閉性をさらに高めることができ、端子箱内への水等の浸入をさらに防ぐことができる。
【００２７】
また、ねじ落下防止機能付きジェットファンは、前記第三折り曲げ部の折り曲げ高さは、前記第一折り曲げ部の折り曲げ高さより低いとしてもよい。
【００２８】
この構成によれば、第一折り曲げ部の内側部分において、端子箱本体と端子箱蓋がさらに良好に接触することになり、端子箱の密閉性をさらに高めることができる。
【００２９】
また、ねじ落下防止機能付きジェットファンは、前記端子箱本体と前記端子箱蓋との間にはパッキンが設けられ、前記固定ねじによる前記端子箱蓋の固定時に、前記パッキンは前記第一折り曲げ部よりも端子箱本体の内側において端子箱本体および前記端子箱蓋と接触するとしてもよい。
【００３０】
この構成によれば、端子箱の密閉性をさらに高めることができ、端子箱内への水等の浸入をさらに防ぐことができる。
【００３１】
また、ねじ落下防止機能付きジェットファンは、前記固定ねじによる締め付けにより、前記パッキンは押しつぶされるとしてもよい。
【００３２】
この構成によれば、端子箱の密封性をさらに高めることができ、端子箱内への水等の浸入をさらに防ぐことができる。
【００３３】
（実施の形態１）
図１に示すジェットファン１は筒状ケーシング２を備えており、筒状ケーシング２は送風筒１０ａと、送風筒１０ａの両側に設けられた消音筒１０ｂからなる。
【００３４】
送風筒１０ａ内にモータ３が内装され、モータ３の回転軸に羽根車４が取付けられている。
【００３５】
モータ３の前後には、固定ハブコーン５が、支持板６を介して筒状ケーシング２に取付けられている。モータ３は、両軸モータを用いたもので、それぞれの軸に羽根車４が取付けられて２段構成の羽根車となっている。
【００３６】
筒状ケーシング２は内筒２ａとその周囲に設けられた外筒２ｂで構成されている。内筒２ａと外筒２ｂとの間の空間は、吸音材挿入部として、吸音材７（グラスウール）が充填されており、吸音効果を持たせている。
【００３７】
図２、図３に示すようにジェットファン１の送風筒１０ａの外面には端子箱８が設けられ、モータ３に接続されるケーブル（不図示）とトンネル天井壁からのケーブル（不図示）との結線部を端子箱８の中に収納する。
【００３８】
なお、図４に示すように、ジェットファン１はトンネルの天井壁に吊り下げられる。
【００３９】
図５は端子箱８の拡大図であり、左が正面図、右が側面図である。
【００４０】
図５に示すように、端子箱８は端子箱本体１１と端子箱蓋１２からなる。端子箱蓋１２は固定ねじ１３によって端子箱本体１１に固定される。
【００４１】
図６は端子箱８の側面に平行な方向に切った断面図であり、さらに詳細に説明する。
【００４２】
図６に示すように、本実施の形態によるジェットファン用の端子箱８は、端子箱本体１１に蓋をする目的で端子箱蓋１２が設けられている。
【００４３】
端子箱蓋１２を端子箱本体１１に固定するために固定ねじ１３、スプリングワッシャ１４、ワッシャ１５、ナット１６のセットが複数箇所に配置されている。
【００４４】
さらに端子箱８は、端子箱蓋１２に対して、スプリングワッシャ１４とワッシャ１５が設けられた方向と反対の方向において、固定ねじ１３に固定ねじ１３の落下を防止するための抜け止めワッシャ１７を設置する。抜け止めワッシャ１７は固定ねじ１３の不完全ねじ部に配置することとする。
【００４５】
抜け止めワッシャ１７により、自動車道路トンネル換気用のジェットファン１をトンネル天井壁９に吊り下げるときやオーバーホールでジェットファン１を取り外すときに行う端子箱蓋１２の高所での取付けや取外しの作業時に端子箱蓋１２を止めている固定ねじ１３の落下を防止することができる。
【００４６】
本実施の形態での特徴は、この抜け止めワッシャ１７を取り付ける空間を確保するように折れ曲がった第一折り曲げ部１８を端子箱本体１１に設けたことである。
【００４７】
端子箱本体１１の固定ねじ１３近傍の内側に第一折り曲げ部１８を設けたことにより、抜け止めワッシャ１７の厚さを確保する空間が生まれる。
【００４８】
このため、固定ねじ１３およびナット１６により端子箱蓋１２を端子箱本体１１に固定していく際に、端子箱本体１１の第一折り曲げ部１８の内側部分と端子箱蓋１２が接触しても、端子箱本体１１の第一折り曲げ部１８の外側部分と抜け止めワッシャ１７が接触しない状態を確保できる。（ただし、端子箱蓋１２を端子箱本体１１にさらに強く固定すれば、端子箱本体１１の第一折り曲げ部１８の外側部分と抜け止めワッシャ１７又は端子箱蓋１２が接触することはあり得る。）。
【００４９】
このように、第一折り曲げ部１８の内側部分において、端子箱本体１１と端子箱蓋１２が良好に接触するため、端子箱８の密閉性を高めることができ、端子箱８内への水等の浸入を防ぐことができる。
【００５０】
さらに、第一折り曲げ部１８の内側部分において、端子箱本体１１と端子箱蓋１２との間にはパッキン１９が設けられていてもよい。パッキン１９があることにより、端子箱８の密閉性をさらに高めることができ、端子箱８内への水等の浸入をさらに防ぐことができる。
【００５１】
特に、パッキン１９は固定ねじ１３により端子箱蓋１２の端子箱本体１１への固定時に押しつぶされる材料であることが好ましい。パッキン１９が押しつぶされることにより端子箱８の密封性をさらに高めることができる。
【００５２】
パッキン１９の貼り付け位置は第一折り曲げ部１８よりも端子箱本体１１の内側に配置し、パッキン１９は端子箱本体１１と端子箱蓋１２と接触することになる。
【００５３】
このように本実施の形態のねじ落下防止機能付きジェットファン１によれば、高所での端子箱蓋１２の取り付けや取り外しの作業時に、端子箱蓋１２を止めている固定ねじ１３が落下することを防止することができ、且つ端子箱８の密閉性を高め、端子箱８内への水等の浸入を防ぐことができる。
【００５４】
なお、本実施の形態では固定ねじ１３を端子箱蓋１２側から挿入することとしたが、端子箱本体１１側から挿入することとしてもよい。そのときスプリングワッシャ１４、ワッシャ１５も端子箱蓋１２に対して反対側の端子箱本体１１側に配置され、ナット１６は端子箱蓋１２の表側に配置されることとなる。抜け止めワッシャ１７は端子箱蓋１２と端子箱本体１１の間のままでよい。この場合でも第一折り曲げ部１８により抜け止めワッシャ１７を取り付ける空間を確保することが可能である。
【００５５】
（実施の形態２）
図７を用いて、本発明の実施の形態２のねじ落下防止機能付きジェットファン１の端子箱８について説明する。
【００５６】
実施の形態１と同じ構成については、同一の番号を付し、詳細な説明を省略する。
【００５７】
図７は端子箱８の側面に平行な方向に切った断面図である。
【００５８】
図７に示すように、実施の形態１で設けた第一折り曲げ部１８に加え、端子箱蓋１２の先端部分に第二折り曲げ部２０を設け、固定ねじ１３は第一折り曲げ部１８と第二折り曲げ部２０との間に設けられている。ここで、先端部分とは先端を含んだ先端付近の一部分をいう。
【００５９】
端子箱蓋１２を端子箱本体１１に固定する時、第二折り曲げ部２０の先端が接するか或いは接近する端子箱本体１１の部分は、第一折り曲げ部１８よりも外側の先端部分にある。
【００６０】
第二折り曲げ部２０は端子箱本体１１の先端よりも内側に設けられている。
【００６１】
実施の形態１では、固定ねじ１３を非常に強く締めこみ過ぎたとき、端子箱蓋１２が変形し、端子箱本体１１と端子箱蓋１２との接触部分に隙間が生じ、端子箱８の密閉性が確保できなくなるおそれがある。
【００６２】
一方、本実施の形態では、固定ねじ１３を非常に強く締めようとしても、端子箱蓋１２が変形する前に或いは大きく変形する前に、第二折り曲げ部２０により第二折り曲げ部２０の先端と端子箱本体１１の先端部分が接触するため、端子箱蓋１２の変形を防ぐことができる。
【００６３】
このため、端子箱８の密閉性を高めることができ、端子箱８内への水等の浸入を防ぐことができる。
【００６４】
第二折り曲げ部２０の折り曲げ高さ（固定ねじ１３の軸方向と平行な方向に向かって折り曲げた高さ）は、第一折り曲げ部１８の折り曲げ高さ（固定ねじ１３の軸方向と平行な方向に向かって折り曲げた高さ）と同じもしくはそれよりも低いことが好ましい。
【００６５】
この構成であれば、固定ねじ１３を締めて端子箱蓋１２を固定していく際に、端子箱本体１１の第一折り曲げ部１８の内側部分と端子箱蓋１２が先に接触し、第二折り曲げ部２０の先端は端子箱本体１１の先端部分に接触するかもしくは隙間ができる程度になる。
【００６６】
このため、第一折り曲げ部１８により抜け止めワッシャ１７を取り付ける空間を確保し、第二折り曲げ部２０により端子箱蓋１２の変形を防ぎつつ、第一折り曲げ部１８の内側部分において、端子箱本体１１と端子箱蓋１２が良好に接触するようになる。
【００６７】
従って、端子箱８の密閉性をさらに高めることができ、端子箱８内への水等の浸入をさらに防ぐことができる。
【００６８】
第二折り曲げ部２０の折り曲げ高さは、第一折り曲げ部１８の折り曲げ高さと同じではなく、第一折り曲げ部１８の折り曲げ高さよりも低ければ、第一折り曲げ部１８の内側部分において、端子箱本体１１と端子箱蓋１２がさらに良好に接触することになるため好ましい。
【００６９】
この構成であれば、パッキン１９がある場合、パッキン１９の密着性がさらに向上し、端子箱８の密閉性をさらに高めることができる。端子箱蓋１２を端子箱本体１１に固定した後、パッキン１９を押しつぶすように設計する場合も有効である。
【００７０】
なお、本実施の形態においても、端子箱本体１１の第一折り曲げ部１８の外側部分と抜け止めワッシャ１７が接触しない状態を確保できる。
【００７１】
また、パッキン１９は、第二折り曲げ部２０の折り曲げ高さと第一折り曲げ部１８の折り曲げ高さが特定の関係でなくても、端子箱８の密閉性を高める効果はある。
【００７２】
また、本実施の形態では固定ねじ１３を端子箱蓋１２側から挿入することとしたが、端子箱本体１１側から挿入することとしてもよい。そのときスプリングワッシャ１４、ワッシャ１５も端子箱蓋１２に対して反対側の端子箱本体１１側に配置され、ナット１６は端子箱蓋１２の表側に配置されることとなる。抜け止めワッシャ１７は端子箱蓋１２と端子箱本体１１の間のままでよい。この場合でも第一折り曲げ部１８により抜け止めワッシャ１７を取り付ける空間を確保することが可能であり、端子箱蓋１２の変形を防ぐことも可能である。
【００７３】
（実施の形態３）
図８を用いて、本発明の実施の形態３のねじ落下防止機能付きジェットファン１の端子箱８について説明する。
【００７４】
実施の形態１と同じ構成については、同一の番号を付し、詳細な説明を省略する。
【００７５】
図８は端子箱８の側面に平行な方向に切った断面図である。
【００７６】
図８に示すように、実施の形態２で設けた端子箱蓋１２の先端部分の第二折り曲げ部２０は設けず、端子箱本体１１の先端部分に第三折り曲げ部２１を設け、固定ねじ１３は第一折り曲げ部１８と第三折り曲げ部２１との間に設けられている。
【００７７】
端子箱蓋１２の固定時に第三折り曲げ部２１の先端が接するか或いは接近する端子箱蓋１２の部分は、第一折り曲げ部１８よりも外側にある。
【００７８】
第三折り曲げ部２１は端子箱蓋１２の先端よりも内側に設けられている。
【００７９】
この構造であっても実施の形態２でおいて示した、固定ねじ１３の閉めこみ過ぎによる端子箱本体１１と端子箱蓋１２との接触部に隙間が生じる懸念は防ぐことができる。
【００８０】
すなわち、本実施の形態では、固定ねじ１３を非常に強く締めようとしても、端子箱蓋１２が変形する前に或いは大きく変形する前に、第三折り曲げ部２１により第三折り曲げ部２１の先端と端子箱蓋１２の先端部分が接触するため、端子箱蓋１２の変形を防ぐことができる。
【００８１】
このため、端子箱８の密閉性を高めることができ、端子箱８内への水等の浸入を防ぐことができる。
【００８２】
第三折り曲げ部２１の折り曲げ高さ（固定ねじ１３の軸方向と平行な方向に向かって折り曲げた高さ）は、第一折り曲げ部１８の折り曲げ高さ（固定ねじ１３の軸方向と平行な方向に向かって折り曲げた高さ）と同じもしくはそれよりも低いことが好ましい。
【００８３】
この構成であれば、固定ねじ１３を締めて端子箱蓋１２を固定していく際に、端子箱本体１１の第一折り曲げ部１８の内側部分と端子箱蓋１２が先に接触し、第三折り曲げ部２１の先端は端子箱蓋１２の先端部分に接触するかもしくは隙間ができる程度になる。
【００８４】
このため、第一折り曲げ部１８により抜け止めワッシャ１７を取り付ける空間を確保し、第三折り曲げ部２１により端子箱蓋１２の変形を防ぎつつ、第一折り曲げ部１８の内側部分において、端子箱本体１１と端子箱蓋１２が良好に接触するようになる。
【００８５】
従って、端子箱８の密閉性をさらに高めることができ、端子箱８内への水等の浸入をさらに防ぐことができる。
【００８６】
第三折り曲げ部２１の折り曲げ高さは、第一折り曲げ部１８の折り曲げ高さと同じではなく、第一折り曲げ部１８の折り曲げ高さよりも低ければ、第一折り曲げ部１８の内側部分において、端子箱本体１１と端子箱蓋１２がさらに良好に接触になるため好ましい。
【００８７】
この構成であれば、パッキン１９がある場合、パッキン１９の密着性がさらに向上し、端子箱８の密閉性をさらに高めることができる。端子箱蓋１２を端子箱本体１１に固定した後、パッキン１９を押しつぶすように設計する場合も有効である。
【００８８】
なお、本実施の形態においても、端子箱本体１１の第一折り曲げ部１８の外側部分と抜け止めワッシャ１７が接触しない状態を確保できる。
【００８９】
また、パッキン１９は、第三折り曲げ部２１の折り曲げ高さと第一折り曲げ部１８の折り曲げ高さが特定の関係でなくても、端子箱８の密閉性を高める効果はある。
【００９０】
また、本実施の形態では固定ねじ１３を端子箱蓋１２側から挿入することとしたが、端子箱本体１１側から挿入することとしてもよい。そのときスプリングワッシャ１４、ワッシャ１５も端子箱蓋１２に対して反対側の端子箱本体１１側に配置され、ナット１６は端子箱蓋１２の表側に配置されることとなる。抜け止めワッシャ１７は端子箱蓋１２と端子箱本体１１の間のままでよい。この場合でも第一折り曲げ部１８により抜け止めワッシャ１７を取り付ける空間を確保することが可能であり、端子箱蓋１２の変形を防ぐことも可能である。
【産業上の利用可能性】
【００９１】
本発明は、道路トンネル用ジェットファンを用いた換気設備に用いることが可能である。
【符号の説明】
【００９２】
１  ジェットファン
２  筒状ケーシング
２ａ  内筒
２ｂ  外筒
３  モータ
４  羽根車
５  固定ハブコーン
６  支持板
７  吸音材
８  端子箱
９  トンネル天井壁
１０ａ  送風筒
１０ｂ  消音筒
１１  端子箱本体
１２  端子箱蓋
１３  固定ねじ
１４  スプリングワッシャ
１５  ワッシャ
１６  ナット
１７  抜け止めワッシャ
１８  第一折り曲げ部
１９  パッキン
２０  第二折り曲げ部
２１  第三折り曲げ部
【図１】
2015086738.tif 000003
【図２】
2015086738.tif 000004
【図３】
2015086738.tif 000005
【図４】
2015086738.tif 000006
【図５】
2015086738.tif 000007
【図６】
2015086738.tif 000008
【図７】
2015086738.tif 000009
【図８】
2015086738.tif 000010